(57)【要約】      （修正有）【課題】ヒーターやファンなどの発熱、可動部分に塵埃が堆積するのを確実に防止する上、収容筐体を大型化せずとも一斗缶や大型の瓶詰め製品などを容易に出納可能とすることができる蜂蜜溶解技術を提供する。【解決手段】人の背丈を超えることのない高さ寸法、および収容すべき容器の大きさとその収容効率とを勘案した奥行き寸法に設定した容器収容空間２を一体的に囲って外郭本体１になすと共に、該外郭本体１正面がわの容器収容空間２に臨む外壁部分と、該外壁部分上端縁全巾の天蓋部分とにおよぶ出納口３に開閉扉４を装着した上、該外郭本体１左右何れかに配したダクト６内中途適所にヒーター７およびファン８を設けたヒーターユニット５を組み込んでなる蜂蜜溶解装置である。【選択図】図１
0003170415.tif 000002
【実用新案登録請求の範囲】
【請求項１】
人の背丈を超えることのない高さ寸法、および収容すべき容器の大きさとその収容効率とを勘案した奥行き寸法に設定して容器収容空間となし、該容器収容空間全周を包囲可能とする適宜立体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた立体を、断熱板または断熱材を組み合わせた化粧板等で一体的に囲って外郭本体になすと共に、当該立体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとしたことを特徴とする蜂蜜熔解装置。
【請求項２】
人の背丈を超えることのない高さ寸法、および収容すべき容器の大きさとその収容効率とを勘案した奥行き寸法に設定して容器収容空間となし、該容器収容空間全周を包囲可能とする箱型など直方体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた直方体を、断熱板または断熱材を組み合わせた化粧板等で一体的に囲って外郭本体になすと共に、当該直方体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとしたことを特徴とする蜂蜜熔解装置。
【請求項３】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを配したヒーターユニットを組み込んでなるものとしたことを特徴とする蜂蜜熔解装置。
【請求項４】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを配したヒーターユニットを組み込み、熔解室内から側部のヒーターユニットダクト内に誘導した空気を加熱し、熔解室内各棚枠を通じ、万遍なく循環、加熱可能なものとしたことを特徴とする蜂蜜熔解装置。
【請求項５】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを夫々配したヒーターユニットを組み込んだ上、該外郭本体または開閉扉の何れか適所に配した電源スイッチと当該ヒーターおよびファンとの間に、熱電対を備えた電子温度調節器をリレーを介して配線接続し、熔解室内を２０℃以上、５７℃未満、望ましくは５５℃に加熱制御可能とする自動制御部を組み合わせてなるものとしたことを特徴とする蜂蜜熔解装置。
【考案の詳細な説明】
【技術分野】
【０００１】
この考案は、蜂蜜などの品質管理技術に関連するものであり、特に、低温環境下で凝固した蜂蜜を品質維持したまま加熱、融解可能とする蜂蜜熔解装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                              
【背景技術】
【０００２】
（着目点）
純粋な蜂蜜は、素材となる花の種類に依存する水分含有量や、保管環境の温・湿度などによって異なるが、概ね１０〜１５℃以下で結晶化してしまい、高粘度の液体から白い塊へと変化し、外観上の品質や取扱い性に大きな変化を生じてしまうという性質を持ち、また、凡そ５７℃を超えると蜂蜜に含まれる蛋白質や酵素が変質し、色合いや風味を損ねてしまって商品価値を失ってしまうという難点があり、こうした特殊事情を踏まえ、養蜂家は、湯煎などで５７℃未満の温度に加熱して粘度を下げ、瓶詰め作業などの作業効率を高めており、また、ガラス製瓶詰め、樹脂製ボトル詰めなどの純粋な蜂蜜製品を取り扱う流通業者や販売者は、直射日光を避け、保管温度を一定に保つなど、品質の維持に注意する必要があり、特に、冬期間や盛夏期間の保管や出荷には細心の管理を要し、大きな負担となっていた。
【０００３】
（従来の技術）
こうした状況を反映し、その打開策となるような提案もこれまでに散見されない訳ではない。
例えば、下記の特許文献１（１）に提案されているものに代表されるように、前面に開閉扉を有する箱型器を有し、空隙を形成した上下複数段の仕切り板を該器内に装着し、該器内の底面部にサーモスタットを介して電源に接続した発熱体を設け、底面部下に配した送風機によって器内に強制送風可能とし、上面部には開度調節可能な排気口を設けてなるものとした蜂蜜濃縮器が知られている。
【０００４】
しかし、特許文献１（１）に示されているような従来型の蜂蜜濃縮器にあっては、箱型器内に複数段装着した各仕切り板上の夫々に、複数本の瓶詰め蜂蜜を収容可能なものとしてあるが、長期に渡る使用で埃やゴミなどが器内に進入すると、空隙を形成した各仕切り板を通過して底面部に堆積してしまうこととなり、底面部に配した発熱体および送風機給気口などに付着、進入して放熱性能を低下させたり、給気効率を悪化させてしまう虞があった。
【特許文献１】（１）実開昭５１−９３３８４号公報
【考案の概要】
【考案が解決しようとする課題】
【０００５】
（問題意識）
上述したとおり、従前までに提案のある各種の蜂蜜濃縮器は、何れも本体底部からの加熱を基本としたものであり、ヒーターなどの発熱体の上に埃やゴミが堆積し易く、加熱性能の悪化や、衛生上の問題を生じる虞があるという欠点を残すものであり、また、器本体の正面に設けた開閉扉は、特に、仕切り板を外して大型の瓶や一斗缶などを収容する場合や、庫内の清掃作業などには不向きなもので、製品の頻繁な出納、および、庫内衛生の維持管理を担う作業者に多大な負担を強いるものとなっているという欠点があり、永年に渡り、純粋蜂蜜の生産、販売に携わり、養蜂作業の効率化を目標に、良質の純粋蜂蜜を提供し続けている中、日々の生産から得られた様々な知見、および販売業者からの情報などに基づき、ヒーターやファンなどの発熱、可動部分に塵埃が堆積するのを確実に防止すると共に、一斗缶などの出納作業の負担を大幅に軽減するための構成につき、更なる改善の可能性を痛感するに至ったものである。
【０００６】
（考案の目的）
そこで、この考案は、ヒーターやファンなどの発熱、可動部分に塵埃が堆積するのを確実に防止する上、収容筐体を大型化せずとも一斗缶や大型の瓶詰め製品などを容易且つ効率的に出納可能とすることができる新たな蜂蜜熔解技術の開発はできないものかとの判断から、逸速くその開発、研究に着手し、長期に渡る試行錯誤と幾多の試作、実験とを繰り返してきた結果、今回、遂に新規な構造の蜂蜜熔解装置を実現化することに成功したものであり、以下では、図面に示すこの考案を代表する実施例と共に、その構成を詳述することとする。                                                                                                        
【課題を解決するための手段】
【０００７】
（考案の構成）
図面に示すこの考案を代表する実施例からも明確に理解されるように、この考案の蜂蜜熔解装置は、基本的に次のような構成から成り立っている。
即ち、人の背丈を超えることのない高さ寸法、および収容すべき容器の大きさとその収容効率とを勘案した奥行き寸法に設定して容器収容空間となし、該容器収容空間全周を包囲可能とする適宜立体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた立体を、断熱板または断熱材を組み合わせた化粧板等で一体的に囲って外郭本体になすと共に、当該立体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとした構成を要旨とする蜂蜜熔解装置である。
【０００８】
この基本的な構成からなる蜂蜜熔解装置を、より具体的なものとして示すと、人の背丈を超えることのない高さ寸法、および収容すべき容器の大きさとその収容効率とを勘案した奥行き寸法に設定して容器収容空間となし、該容器収容空間全周を包囲可能とする箱型など直方体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた直方体を、断熱板または断熱材を組み合わせた化粧板等で一体的に囲って外郭本体になすと共に、当該直方体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとした構成からなる蜂蜜熔解装置ということができる。
【０００９】
これを、より具体的なものとして示すならば、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを配したヒーターユニットを組み込んでなるものとした構成からなる蜂蜜熔解装置ということができる。
【００１０】
これを、表現を変えて示すと、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを配したヒーターユニットを組み込み、熔解室内から側部のヒーターユニットダクト内に誘導した空気を加熱し、熔解室内各棚枠を通じ、万遍なく循環、加熱可能なものとした構成からなる蜂蜜熔解装置となる。
【００１１】
さらに、具体的なものとして示すならば、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した熔解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該熔解室隔壁の下通気口から上通気口に連通するダクト内中途適所にサーモスタットを有するヒーター、同ダクト内下流がわまたは上流がわの少なくとも何れか一方にファンを夫々配したヒーターユニットを組み込んだ上、該外郭本体または開閉扉の何れか適所に配した電源スイッチと当該ヒーターおよびファンとの間に、熱電対を備えた電子温度調節器をリレーを介して配線接続し、熔解室内を２０℃以上、５７℃未満、望ましくは５５℃に加熱制御可能とする自動制御部を組み合わせてなるものとし構成からなる蜂蜜熔解装置といえる。                                                                      
【考案の効果】
【００１２】
以上のとおり、この考案の蜂蜜熔解装置によれば、従前までのものとは違い、上記したとおりの固有の特徴ある構成から、外郭本体を大型化せずとも、容器収容空間に臨む正面がわ外壁部分と該外壁部分上端縁全巾に渡って同容器収容空間上方奥行き方向所定巾に及ぶ天蓋部分とを切り欠いてなる出納口部分を有するから、収容すべき容器の出納作業性を格段に高めることができ、利用者の体力的負担を大幅に軽減することができる上、人の背丈を超えることのない高さ寸法、および収容すべき容器の大きさとその収容効率とを勘案した奥行き寸法に設定し、必要最小限の設置スペースに留めることが可能となり、加熱に要するエネルギーを削減し、一段と効率的な利用を実現化できるという秀れた特徴が得られるものである。
【００１３】
加えて、ヒーターユニットを外郭本体の左右がわ何れかに組み込み、容器収容空間内に進入した塵埃などが、底部に落下した場合にも、該ヒーターユニットのヒーターやサーモスタット、ファンなどに堆積するのを確実に防止することができ、容器収容空間内の特に底面の凹凸を解消し平滑化して清掃がし易く、しかも塵埃堆積の影響を解消して長期間に亘り、効率的な加熱・保温を実現化できるという効果を発揮するものとなる。                                            
【考案を実施するための最良の形態】
【００１４】
上記したとおりの構成からなるこの考案の実施に際し、その最良もしくは望ましい形態について説明を加えることにする。
容器収容空間は、外郭本体内に収容すべき容器を効率的に収納可能とすると共に、同空間内にヒーターユニットからの温風を隈無く循環可能、且つ、外部空間との間で異物や外気の進入を防止し、断熱可能とするよう密閉状態を維持可能とする機能を担い、人の背丈を超えることのない高さ寸法、および収容すべき容器の大きさとその収容効率とを勘案した奥行き寸法に設定したものとしなければならず、同空間全周を包囲可能とする箱型やドーム型など立体をなす外郭本体で一体的に囲い、開閉扉で開閉可能なものとしなければならず、その空間内は、収容すべき容器の大きさとその収容効率とを勘案して棚組みしたものとすべきであり、棚の一部または全部を取り外して大型の収容すべき容器を収容可能なものとすることができる。
【００１５】
外郭本体は、人の背丈を超えることのない高さ寸法、および収容すべき容器の大きさとその収容効率とを勘案した奥行き寸法という限られたサイズに設定した容器収容空間全周を包囲可能とする上、その出納口が、天蓋部分の出納口がわ一部も開閉扉と共に開放でき、天蓋が邪魔にならないよう、収容すべき容器の出し入れ、清掃のし易さを確保するという機能を分担し、断熱板または断熱材を組み合わせた化粧板等で一体的に囲った立体形状となし、該外郭本体内で、開閉扉の開閉に支障を来さない左右何れかの区画内か、または外郭本体に外付けするようにした筐体内かの何れかにヒーターユニットを組み込み、容器収容空間内全体に暖気を旋回、供給可能にしてなるものとしなければならない。
【００１６】
外郭本体の出納口は、容器収容空間への収容すべき容器の出し入れ、清掃のし易さを確保し、容器収容空間を外部から密閉可能とするよう開閉扉を閉鎖可能なものとする機能を担い、外郭本体の正面がわで、容器収容空間縦断面形が現れる箇所に臨む外壁部分と該外壁部分上端縁全巾に渡って同容器収容空間上方奥行き方向所定巾に及ぶ天蓋部分とを切り欠いてなるものとしなければならず、収容すべき容器の大きさとその収容効率とを勘案した大きさに設定すべきであり、容器収容空間から外した棚を取り出したり、収容および組み込み操作容易とする形状、寸法に設定したものとするのが望ましい。
【００１７】
開閉扉は、外郭本体の出納口を開閉可能とし、開いて容器収容空間内への収容すべき容器の効率的な出納作業を可能とすると共に、閉鎖して容器収容空間内を容器収容空間外から隔離し、外気が進入しないよう密閉状とする機能を担い、該開閉扉を閉鎖した状態で外郭本体が立体をなすよう形成し、左右何れかに開閉ヒンジ機構を組み込んだものとしなければならず、外郭本体の正面がわで、容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分に相当する形状のものとすべきであり、外郭本体と同等程度の断熱性を有するものとするのが望ましく、後述する実施例に示すように、当該開閉ヒンジ機構とは反対がわとなる外がわ適所に開閉操作用の取っ手やハンドルなどを設けたものとするのが良い。
【００１８】
ヒーターユニットは、加温した空気を容器収容空間内に循環供給可能とすると共に、その温風の加熱温度を適温に保つよう自動的に制御可能で、ヒーターやファンなどの各部品類に塵埃が堆積するのを防止可能なものとする機能を担い、外郭本体内の開閉扉開閉に支障を来さない左右何れかの区画内か、または外郭本体に外付けするようにした筐体内かの何れか一方に、容器収容空間に夫々通じる下通気口から上通気口に連通するダクトを形成し、該ダクト内中途適所にサーモスタットを有するヒーター、同ダクト内下流がわまたは上流がわの少なくとも何れか一方にファンを配し、容器収容空間内全体に隈無く暖気を旋回状に供給可能としてなるものとしなければならず、適所に設定温度を調節したり、保温時間を入力したりできる操作入力部や制御モニターおよび制御装置などを設けたものとするのが望ましい。
以下では、図面に示すこの考案を代表する実施例と共に、その構造について詳述することとする。                                                                                                            
【図面の簡単な説明】
【００１９】
図面は、この考案の蜂蜜熔解装置の技術的思想を具現化した代表的な一実施例を示すものである。
【図１】蜂蜜熔解装置を断面化して示す正面図である。
【図２】図１中のＡ−Ａ断面を示す平面図である。
【図３】図１中のＢ−Ｂ断面を示す側面図である。
【図４】蜂蜜熔解装置を示す斜視図である。
【図５】蜂蜜熔解装置の使用状態を示す斜視図である。
【実施例１】
【００２０】
図１ないし図５に示す事例は、人の背丈を超えることのない高さ寸法、および収容すべき容器の大きさとその収容効率とを勘案した奥行き寸法に設定した容器収容空間２を一体的に囲って外郭本体１になすと共に、該外郭本体１正面がわの容器収容空間２に臨む外壁部分と、該外壁部分上端縁全巾の天蓋部分とに及ぶ出納口３に開閉扉４を装着した上、該外郭本体１左右何れかに配したダクト６内中途適所にヒーター７およびファン８を設けたヒーターユニット５を組み込んでなるものとした、この考案の蜂蜜熔解装置における代表的な一実施例を示すものである。
【００２１】
それら各図からも明確に把握できるとおり、この考案の蜂蜜熔解装置は、人の背丈を超えることのない高さ寸法、および収容すべき容器の大きさとその収容効率とを勘案した奥行き寸法に設定して容器収容空間２となし、該容器収容空間２全周を包囲可能とする箱型など立体であって、その正面がわで、同容器収容空間２縦断面形が現れる箇所に臨む外壁部分と該外壁部分上端縁全巾に渡って同容器収容空間２上方奥行き方向所定巾に及ぶ天蓋部分とを切り欠いてなる出納口３部分を除いた立体を、断熱板または断熱材を組み合わせた化粧板等で一体的に囲って外郭本体１になすと共に、当該立体で、先に切り欠いて外郭本体１の出納口３とした部分に相当する形状のもので、同出納口３に対しては、その左右何れかに組み込んだ開閉ヒンジ機構４０，４０によって開閉自在且つ密閉可能となるようにした開閉扉４を装着した上、該開閉扉４の開閉ヒンジ機構４０，４０とは左右反対がわの遊端がわに相当する天蓋部分上には、開閉操作用のハンドル４１、また、同遊端がわ適所と、それに対応する外郭本体１出納口３縁部分適所とには、施錠機構４２を装着したものとし、さらに、当該外郭本体１容器収容空間２内には、瓶詰め蜂蜜製品などの収容すべき容器９，９，……の大きさとその収容効率とを勘案し、上下複数枚の格子棚１０，１０，……を着脱・出納自在に収容、装着してなるものとしてある。
【００２２】
そして、該外郭本体１内で、開閉扉４の開閉に支障を来さない左右何れかの区画内１１には、下通気口６０から上通気口６１に連通するダクト６を形成し、該ダクト６内中途適所にサーモスタット７０を有するヒーター７、同ダクト６内のヒーター７より下流がわとなる適所にファン８を配したヒーターユニット５を組み込み、該ヒーターユニット５の外がわに相当する外郭本体１前面外壁部分適所には、メインスイッチ、操作入力スイッチ、操作モニター、および、それらからの入力操作を受け、ヒーターユニット５各部を制御可能な自動制御部５０設けたものとしてある。
【００２３】
（実施例１の作用・効果）
以上のとおりの構成からなるこの考案の蜂蜜熔解装置は、図１ないし図５に示してあるように、省スペースおよび省エネルギー化を達成するため、外郭本体が限られたサイズのものとしてあり、その限られたサイズの故に、外郭本体１天蓋部分の出納口３がわ一部も開閉扉４と共に開放できて天蓋が邪魔にならない出納口３にしてあって、収容すべき容器９である瓶詰め蜂蜜製品などを斜め上方から容易に収納、および取り出し可能なものとしている。
【００２４】
加えて、ヒーターユニット５を外郭本体１の左右がわの何れか一方に配するようにしてあるから、容器収容空間２内に進入した塵埃が、仮令、格子棚１０，１０，……を通過して底部壁面上に堆積することがあったとしても、縦型に配したダクト６内に堆積することがなく、ヒーター７、サーモスタット７０、ファン８などが汚れるのを確実に防止し、加熱性能の低下を防ぎ、長期間に亘ってエネルギー効率の高い運転を実現化できるという卓越した効果を得ることになる。
【００２５】
（結  び）
叙述の如く、この考案の蜂蜜熔解装置は、その新規な構成によって所期の目的を遍く達成可能とするものであり、しかも製造も容易で、従前からの蜂蜜濃縮器などの技術に比較して大幅に出納作業性を高め、小型・軽量化して遥かに経済的なものとすることができる上、庫内の清掃作業性を大幅に改善し得るようにしたことから、塵埃の始末など、従前まであれば困難とされてきた欠点を解消して安全且つ効率的に清掃することができるものとなり、養蜂業界および蜂蜜製品などの保管、流通、販売業界はもとよりのこと、最適な粘度を保つのに苦慮し、作業を効率的に進めるのに多くの工数を費やしてきた瓶詰め加工業界や、効率的に充填可能な容器類および充填装置類の開発に苦心していた包装機器業界においても高く評価され、広範に渡って利用、普及していくものになると予想される。                                                    
【符号の説明】
【００２６】
１      外郭本体
１０    同  格子棚
２      容器収容空間
３      出納口
４      開閉扉
４０    同  開閉ヒンジ機構
４１    同  ハンドル
５      ヒーターユニット
６      ダクト
６０    同  下通気口
６１    同  上通気口
７      ヒーター
７０    同  サーモスタット
８      ファン
９      収容すべき容器
【図１】
0003170415.tif 000003
【図２】
0003170415.tif 000004
【図３】
0003170415.tif 000005
【図４】
0003170415.tif 000006
【図５】
0003170415.tif 000007
【手続補正書】
【提出日】平成23年7月8日(2011.7.8)
【手続補正１】
【補正対象書類名】明細書
【補正対象項目名】全文
【補正方法】変更
【補正の内容】
【考案の詳細な説明】
【技術分野】
【０００１】
この考案は、蜂蜜などの品質管理技術に関連するものであり、特に、低温環境下で凝固した蜂蜜を品質維持したまま加熱、融解可能とする蜂蜜溶解装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                              
【背景技術】
【０００２】
（着目点）
純粋な蜂蜜は、素材となる花の種類に依存する水分含有量や、保管環境の温・湿度などによって異なるが、概ね１０〜１５℃以下で結晶化してしまい、高粘度の液体から白い塊へと変化し、外観上の品質や取扱い性に大きな変化を生じてしまうという性質を持ち、また、凡そ５７℃を超えると蜂蜜に含まれる蛋白質や酵素が変質し、色合いや風味を損ねてしまって商品価値を失ってしまうという難点があり、こうした特殊事情を踏まえ、養蜂家は、湯煎などで５７℃未満の温度に加熱して粘度を下げ、瓶詰め作業などの作業効率を高めており、また、ガラス製瓶詰め、樹脂製ボトル詰めなどの純粋な蜂蜜製品を取り扱う流通業者や販売者は、直射日光を避け、保管温度を一定に保つなど、品質の維持に注意する必要があり、特に、冬期間や盛夏期間の保管や出荷には細心の管理を要し、大きな負担となっていた。
【０００３】
（従来の技術）
こうした状況を反映し、その打開策となるような提案もこれまでに散見されない訳ではない。
例えば、下記の特許文献１（１）に提案されているものに代表されるように、前面に開閉扉を有する箱型器を有し、空隙を形成した上下複数段の仕切り板を該器内に装着し、該器内の底面部にサーモスタットを介して電源に接続した発熱体を設け、底面部下に配した送風機によって器内に強制送風可能とし、上面部には開度調節可能な排気口を設けてなるものとした蜂蜜濃縮器が知られている。
【０００４】
しかし、特許文献１（１）に示されているような従来型の蜂蜜濃縮器にあっては、箱型器内に複数段装着した各仕切り板上の夫々に、複数本の瓶詰め蜂蜜を収容可能なものとしてあるが、長期に渡る使用で埃やゴミなどが器内に進入すると、空隙を形成した各仕切り板を通過して底面部に堆積してしまうこととなり、底面部に配した発熱体および送風機給気口などに付着、進入して放熱性能を低下させたり、給気効率を悪化させてしまう虞があった。
【特許文献１】（１）実開昭５１−９３３８４号公報
【考案の概要】
【考案が解決しようとする課題】
【０００５】
（問題意識）
上述したとおり、従前までに提案のある各種の蜂蜜濃縮器は、何れも本体底部からの加熱を基本としたものであり、ヒーターなどの発熱体の上に埃やゴミが堆積し易く、加熱性能の悪化や、衛生上の問題を生じる虞があるという欠点を残すものであり、また、器本体の正面に設けた開閉扉は、特に、仕切り板を外して大型の瓶や一斗缶などを収容する場合や、庫内の清掃作業などには不向きなもので、製品の頻繁な出納、および、庫内衛生の維持管理を担う作業者に多大な負担を強いるものとなっているという欠点があり、永年に渡り、純粋蜂蜜の生産、販売に携わり、養蜂作業の効率化を目標に、良質の純粋蜂蜜を提供し続けている中、日々の生産から得られた様々な知見、および販売業者からの情報などに基づき、ヒーターやファンなどの発熱、可動部分に塵埃が堆積するのを確実に防止すると共に、一斗缶などの出納作業の負担を大幅に軽減するための構成につき、更なる改善の可能性を痛感するに至ったものである。
【０００６】
（考案の目的）
そこで、この考案は、ヒーターやファンなどの発熱、可動部分に塵埃が堆積するのを確実に防止する上、収容筐体を大型化せずとも一斗缶や大型の瓶詰め製品などを容易且つ効率的に出納可能とすることができる新たな蜂蜜溶解技術の開発はできないものかとの判断から、逸速くその開発、研究に着手し、長期に渡る試行錯誤と幾多の試作、実験とを繰り返してきた結果、今回、遂に新規な構造の蜂蜜溶解装置を実現化することに成功したものであり、以下では、図面に示すこの考案を代表する実施例と共に、その構成を詳述することとする。                                                                                                        
【課題を解決するための手段】
【０００７】
（考案の構成）
図面に示すこの考案を代表する実施例からも明確に理解されるように、この考案の蜂蜜溶解装置は、基本的に次のような構成から成り立っている。
即ち、人の背丈を超えることのない高さ寸法、および収容すべき容器の大きさとその収容効率とを勘案した奥行き寸法に設定して容器収容空間となし、該容器収容空間全周を包囲可能とする適宜立体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた立体を、断熱板または断熱材を組み合わせた化粧板等で一体的に囲って外郭本体になすと共に、当該立体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとした構成を要旨とする蜂蜜溶解装置である。
【０００８】
この基本的な構成からなる蜂蜜溶解装置を、より具体的なものとして示すと、人の背丈を超えることのない高さ寸法、および収容すべき容器の大きさとその収容効率とを勘案した奥行き寸法に設定して容器収容空間となし、該容器収容空間全周を包囲可能とする箱型など直方体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた直方体を、断熱板または断熱材を組み合わせた化粧板等で一体的に囲って外郭本体になすと共に、当該直方体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとした構成からなる蜂蜜溶解装置ということができる。
【０００９】
これを、より具体的なものとして示すならば、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを配したヒーターユニットを組み込んでなるものとした構成からなる蜂蜜溶解装置ということができる。
【００１０】
これを、表現を変えて示すと、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを配したヒーターユニットを組み込み、溶解室内から側部のヒーターユニットダクト内に誘導した空気を加熱し、溶解室内各棚枠を通じ、万遍なく循環、加熱可能なものとした構成からなる蜂蜜溶解装置となる。
【００１１】
さらに、具体的なものとして示すならば、矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを夫々配したヒーターユニットを組み込んだ上、該外郭本体または開閉扉の何れか適所に配した電源スイッチと当該ヒーターおよびファンとの間に、熱電対を備えた電子温度調節器をリレーを介して配線接続し、溶解室内を２０℃以上、５７℃未満、望ましくは５５℃に加熱制御可能とする自動制御部を組み合わせてなるものとし構成からなる蜂蜜溶解装置といえる。                                                                      
【考案の効果】
【００１２】
以上のとおり、この考案の蜂蜜溶解装置によれば、従前までのものとは違い、上記したとおりの固有の特徴ある構成から、外郭本体を大型化せずとも、容器収容空間に臨む正面がわ外壁部分と該外壁部分上端縁全巾に渡って同容器収容空間上方奥行き方向所定巾に及ぶ天蓋部分とを切り欠いてなる出納口部分を有するから、収容すべき容器の出納作業性を格段に高めることができ、利用者の体力的負担を大幅に軽減することができる上、人の背丈を超えることのない高さ寸法、および収容すべき容器の大きさとその収容効率とを勘案した奥行き寸法に設定し、必要最小限の設置スペースに留めることが可能となり、加熱に要するエネルギーを削減し、一段と効率的な利用を実現化できるという秀れた特徴が得られるものである。
【００１３】
加えて、ヒーターユニットを外郭本体の左右がわ何れかに組み込み、容器収容空間内に進入した塵埃などが、底部に落下した場合にも、該ヒーターユニットのヒーターやサーモスタット、ファンなどに堆積するのを確実に防止することができ、容器収容空間内の特に底面の凹凸を解消し平滑化して清掃がし易く、しかも塵埃堆積の影響を解消して長期間に亘り、効率的な加熱・保温を実現化できるという効果を発揮するものとなる。                                            
【考案を実施するための最良の形態】
【００１４】
上記したとおりの構成からなるこの考案の実施に際し、その最良もしくは望ましい形態について説明を加えることにする。
容器収容空間は、外郭本体内に収容すべき容器を効率的に収納可能とすると共に、同空間内にヒーターユニットからの温風を隈無く循環可能、且つ、外部空間との間で異物や外気の進入を防止し、断熱可能とするよう密閉状態を維持可能とする機能を担い、人の背丈を超えることのない高さ寸法、および収容すべき容器の大きさとその収容効率とを勘案した奥行き寸法に設定したものとしなければならず、同空間全周を包囲可能とする箱型やドーム型など立体をなす外郭本体で一体的に囲い、開閉扉で開閉可能なものとしなければならず、その空間内は、収容すべき容器の大きさとその収容効率とを勘案して棚組みしたものとすべきであり、棚の一部または全部を取り外して大型の収容すべき容器を収容可能なものとすることができる。
【００１５】
外郭本体は、人の背丈を超えることのない高さ寸法、および収容すべき容器の大きさとその収容効率とを勘案した奥行き寸法という限られたサイズに設定した容器収容空間全周を包囲可能とする上、その出納口が、天蓋部分の出納口がわ一部も開閉扉と共に開放でき、天蓋が邪魔にならないよう、収容すべき容器の出し入れ、清掃のし易さを確保するという機能を分担し、断熱板または断熱材を組み合わせた化粧板等で一体的に囲った立体形状となし、該外郭本体内で、開閉扉の開閉に支障を来さない左右何れかの区画内か、または外郭本体に外付けするようにした筐体内かの何れかにヒーターユニットを組み込み、容器収容空間内全体に暖気を旋回、供給可能にしてなるものとしなければならない。
【００１６】
外郭本体の出納口は、容器収容空間への収容すべき容器の出し入れ、清掃のし易さを確保し、容器収容空間を外部から密閉可能とするよう開閉扉を閉鎖可能なものとする機能を担い、外郭本体の正面がわで、容器収容空間縦断面形が現れる箇所に臨む外壁部分と該外壁部分上端縁全巾に渡って同容器収容空間上方奥行き方向所定巾に及ぶ天蓋部分とを切り欠いてなるものとしなければならず、収容すべき容器の大きさとその収容効率とを勘案した大きさに設定すべきであり、容器収容空間から外した棚を取り出したり、収容および組み込み操作容易とする形状、寸法に設定したものとするのが望ましい。
【００１７】
開閉扉は、外郭本体の出納口を開閉可能とし、開いて容器収容空間内への収容すべき容器の効率的な出納作業を可能とすると共に、閉鎖して容器収容空間内を容器収容空間外から隔離し、外気が進入しないよう密閉状とする機能を担い、該開閉扉を閉鎖した状態で外郭本体が立体をなすよう形成し、左右何れかに開閉ヒンジ機構を組み込んだものとしなければならず、外郭本体の正面がわで、容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分に相当する形状のものとすべきであり、外郭本体と同等程度の断熱性を有するものとするのが望ましく、後述する実施例に示すように、当該開閉ヒンジ機構とは反対がわとなる外がわ適所に開閉操作用の取っ手やハンドルなどを設けたものとするのが良い。
【００１８】
ヒーターユニットは、加温した空気を容器収容空間内に循環供給可能とすると共に、その温風の加熱温度を適温に保つよう自動的に制御可能で、ヒーターやファンなどの各部品類に塵埃が堆積するのを防止可能なものとする機能を担い、外郭本体内の開閉扉開閉に支障を来さない左右何れかの区画内か、または外郭本体に外付けするようにした筐体内かの何れか一方に、容器収容空間に夫々通じる下通気口から上通気口に連通するダクトを形成し、該ダクト内中途適所にサーモスタットを有するヒーター、同ダクト内下流がわまたは上流がわの少なくとも何れか一方にファンを配し、容器収容空間内全体に隈無く暖気を旋回状に供給可能としてなるものとしなければならず、適所に設定温度を調節したり、保温時間を入力したりできる操作入力部や制御モニターおよび制御装置などを設けたものとするのが望ましい。
以下では、図面に示すこの考案を代表する実施例と共に、その構造について詳述することとする。                                                                                                            
【図面の簡単な説明】
【００１９】
図面は、この考案の蜂蜜溶解装置の技術的思想を具現化した代表的な一実施例を示すものである。
【図１】蜂蜜溶解装置を断面化して示す正面図である。
【図２】図１中のＡ−Ａ断面を示す平面図である。
【図３】図１中のＢ−Ｂ断面を示す側面図である。
【図４】蜂蜜溶解装置を示す斜視図である。
【図５】蜂蜜溶解装置の使用状態を示す斜視図である。
【実施例１】
【００２０】
図１ないし図５に示す事例は、人の背丈を超えることのない高さ寸法、および収容すべき容器の大きさとその収容効率とを勘案した奥行き寸法に設定した容器収容空間２を一体的に囲って外郭本体１になすと共に、該外郭本体１正面がわの容器収容空間２に臨む外壁部分と、該外壁部分上端縁全巾の天蓋部分とに及ぶ出納口３に開閉扉４を装着した上、該外郭本体１左右何れかに配したダクト６内中途適所にヒーター７およびファン８を設けたヒーターユニット５を組み込んでなるものとした、この考案の蜂蜜溶解装置における代表的な一実施例を示すものである。
【００２１】
それら各図からも明確に把握できるとおり、この考案の蜂蜜溶解装置は、人の背丈を超えることのない高さ寸法、および収容すべき容器の大きさとその収容効率とを勘案した奥行き寸法に設定して容器収容空間２となし、該容器収容空間２全周を包囲可能とする箱型など立体であって、その正面がわで、同容器収容空間２縦断面形が現れる箇所に臨む外壁部分と該外壁部分上端縁全巾に渡って同容器収容空間２上方奥行き方向所定巾に及ぶ天蓋部分とを切り欠いてなる出納口３部分を除いた立体を、断熱板または断熱材を組み合わせた化粧板等で一体的に囲って外郭本体１になすと共に、当該立体で、先に切り欠いて外郭本体１の出納口３とした部分に相当する形状のもので、同出納口３に対しては、その左右何れかに組み込んだ開閉ヒンジ機構４０，４０によって開閉自在且つ密閉可能となるようにした開閉扉４を装着した上、該開閉扉４の開閉ヒンジ機構４０，４０とは左右反対がわの遊端がわに相当する天蓋部分上には、開閉操作用のハンドル４１、また、同遊端がわ適所と、それに対応する外郭本体１出納口３縁部分適所とには、施錠機構４２を装着したものとし、さらに、当該外郭本体１容器収容空間２内には、瓶詰め蜂蜜製品などの収容すべき容器９，９，……の大きさとその収容効率とを勘案し、上下複数枚の格子棚１０，１０，……を着脱・出納自在に収容、装着してなるものとしてある。
【００２２】
そして、該外郭本体１内で、開閉扉４の開閉に支障を来さない左右何れかの区画内１１には、下通気口６０から上通気口６１に連通するダクト６を形成し、該ダクト６内中途適所にサーモスタット７０を有するヒーター７、同ダクト６内のヒーター７より下流がわとなる適所にファン８を配したヒーターユニット５を組み込み、該ヒーターユニット５の外がわに相当する外郭本体１前面外壁部分適所には、メインスイッチ、操作入力スイッチ、操作モニター、および、それらからの入力操作を受け、ヒーターユニット５各部を制御可能な自動制御部５０設けたものとしてある。
【００２３】
（実施例１の作用・効果）
以上のとおりの構成からなるこの考案の蜂蜜溶解装置は、図１ないし図５に示してあるように、省スペースおよび省エネルギー化を達成するため、外郭本体が限られたサイズのものとしてあり、その限られたサイズの故に、外郭本体１天蓋部分の出納口３がわ一部も開閉扉４と共に開放できて天蓋が邪魔にならない出納口３にしてあって、収容すべき容器９である瓶詰め蜂蜜製品などを斜め上方から容易に収納、および取り出し可能なものとしている。
【００２４】
加えて、ヒーターユニット５を外郭本体１の左右がわの何れか一方に配するようにしてあるから、容器収容空間２内に進入した塵埃が、仮令、格子棚１０，１０，……を通過して底部壁面上に堆積することがあったとしても、縦型に配したダクト６内に堆積することがなく、ヒーター７、サーモスタット７０、ファン８などが汚れるのを確実に防止し、加熱性能の低下を防ぎ、長期間に亘ってエネルギー効率の高い運転を実現化できるという卓越した効果を得ることになる。
【００２５】
（結  び）
叙述の如く、この考案の蜂蜜溶解装置は、その新規な構成によって所期の目的を遍く達成可能とするものであり、しかも製造も容易で、従前からの蜂蜜濃縮器などの技術に比較して大幅に出納作業性を高め、小型・軽量化して遥かに経済的なものとすることができる上、庫内の清掃作業性を大幅に改善し得るようにしたことから、塵埃の始末など、従前まであれば困難とされてきた欠点を解消して安全且つ効率的に清掃することができるものとなり、養蜂業界および蜂蜜製品などの保管、流通、販売業界はもとよりのこと、最適な粘度を保つのに苦慮し、作業を効率的に進めるのに多くの工数を費やしてきた瓶詰め加工業界や、効率的に充填可能な容器類および充填装置類の開発に苦心していた包装機器業界においても高く評価され、広範に渡って利用、普及していくものになると予想される。                                                    
【符号の説明】
【００２６】
１      外郭本体
１０    同  格子棚
２      容器収容空間
３      出納口
４      開閉扉
４０    同  開閉ヒンジ機構
４１    同  ハンドル
５      ヒーターユニット
６      ダクト
６０    同  下通気口
６１    同  上通気口
７      ヒーター
７０    同  サーモスタット
８      ファン
９      収容すべき容器                                                            
【手続補正２】
【補正対象書類名】実用新案登録請求の範囲
【補正対象項目名】全文
【補正方法】変更
【補正の内容】
【実用新案登録請求の範囲】
【請求項１】
人の背丈を超えることのない高さ寸法、および収容すべき容器の大きさとその収容効率とを勘案した奥行き寸法に設定して容器収容空間となし、該容器収容空間全周を包囲可能とする適宜立体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた立体を、断熱板または断熱材を組み合わせた化粧板等で一体的に囲って外郭本体になすと共に、当該立体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとしたことを特徴とする蜂蜜溶解装置。
【請求項２】
人の背丈を超えることのない高さ寸法、および収容すべき容器の大きさとその収容効率とを勘案した奥行き寸法に設定して容器収容空間となし、該容器収容空間全周を包囲可能とする箱型など直方体であって、その正面がわで、同容器収容空間縦断面形が現れる箇所に臨む外壁部分と該外壁部分上端縁全巾に渡って同容器収容空間上方奥行き方向所定巾に及ぶ天蓋部分とを切り欠いてなる出納口部分を除いた直方体を、断熱板または断熱材を組み合わせた化粧板等で一体的に囲って外郭本体になすと共に、当該直方体で、先に切り欠いて外郭本体の出納口とした部分に相当する形状のもので、同出納口に対しては、その左右何れかに組み込んだ開閉ヒンジ機構によって開閉自在且つ密閉可能となるようにした開閉扉を装着した上、当該外郭本体内の容器収容空間を、収容すべき容器の大きさとその収容効率とを勘案して棚組みしたものとする一方、該外郭本体内で、開閉扉の開閉に支障を来さない左右何れかの区画内か、または外郭本体に外付けするようにした筐体内かの何れかには、下通気口から上通気口に連通するダクト内中途適所にサーモスタットを有するヒーター、同ダクト内下流がわまたは上流がわの少なくとも何れか一方にファンを配したヒーターユニットを組み込み、容器収容空間内全体に暖気を旋回、供給可能にしてなるものとしたことを特徴とする蜂蜜溶解装置。
【請求項３】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを配したヒーターユニットを組み込んでなるものとしたことを特徴とする蜂蜜溶解装置。
【請求項４】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを配したヒーターユニットを組み込み、溶解室内から側部のヒーターユニットダクト内に誘導した空気を加熱し、溶解室内各棚枠を通じ、万遍なく循環、加熱可能なものとしたことを特徴とする蜂蜜溶解装置。
【請求項５】
矩形箱型の前面の左右何れか一方寄りの主要区画、およびそれに連続する前面寄り天面の一部に跨り、蜂蜜容器用出納口を側断面反転Ｌ字形に開口した外郭本体を有し、該外郭本体の出納口に相当する区画内に、上下通気可能な棚枠の１枚または上下複数枚を着脱自在に装着し、左右側何れか他方の隔壁上下夫々に通気口を開口した溶解室を配すると共に、該外郭本体出納口に、左右何れか一端縁に開閉ヒンジ機構、左右何れか他方に施解錠機構を有する開閉扉を装着する一方、該外郭本体の左右何れか他方の余となる区画内には、当該溶解室隔壁の下通気口から上通気口に連通するダクト内中途適所にサーモスタットを有するヒーター、同ダクト内下流がわまたは上流がわの少なくとも何れか一方にファンを夫々配したヒーターユニットを組み込んだ上、該外郭本体または開閉扉の何れか適所に配した電源スイッチと当該ヒーターおよびファンとの間に、熱電対を備えた電子温度調節器をリレーを介して配線接続し、溶解室内を２０℃以上、５７℃未満、望ましくは５５℃に加熱制御可能とする自動制御部を組み合わせてなるものとしたことを特徴とする蜂蜜溶解装置。